(57)【特許請求の範囲】
【請求項１】
精製所のための原油または重油のストリーム内の微量元素をオンライン測定する方法であって、
ａ．前記ストリームが通って流れる前記精製所のためのある点に、前記ストリームへの／前記ストリームからのエネルギーを集束するために選択的に集束されたＸ線波長を有する少なくとも１つの蛍光Ｘ線（ＸＲＦ）分析器を設けるステップであって、前記精製所における前記点は、脱塩処理を最適化するように前記ストリーム内に含まれる塩素を監視するための脱塩前装置および／または脱塩後装置を含む、該ステップと、
ｂ．前記ＸＲＦ分析器を使用して前記微量元素について前記ストリームを分析するステップと、
ｃ．業務を改善するために前記ＸＲＦ分析器からの結果を精製所又は他のオペレータに提供するステップと
を具えたことを特徴とする方法。
【請求項２】
前記ＸＲＦ分析器は、単色光学系対応ＸＲＦ分析器を含むことを特徴とする請求項１記載の方法。
【請求項３】
前記ＸＲＦ分析器は、少なくとも１つの集束用の単色化Ｘ線光学系を有するＸ線エンジンを使用して前記ストリームへの／前記ストリームからのエネルギーを集束することを特徴とする請求項２記載の方法。
【請求項４】
前記ＸＲＦ分析器は、前記Ｘ線エンジンを前記ストリームから分離する窓を具えたことを特徴とする請求項３記載の方法。
【請求項５】
前記ＸＲＦ分析器は、ＭＷＤＸＲＦ分析器またはＭＥ−ＥＤＸＲＦ分析器であることを特徴とする請求項１ないし４のいずれかに記載の方法。
【請求項６】
前記微量元素は、以下のリスト、すなわちＳ、Ｃｌ、Ｐ、Ｋ、Ｃａ、Ｖ、Ｍｎ、Ｆｅ、Ｃｏ、Ｎｉ、Ｃｕ、Ｚｎ、Ｈｇ、Ａｓ、Ｐｂ、およびＳｅから選択される少なくとも１つの元素であることを特徴とする請求項１ないし５のいずれかに記載の方法。
【請求項７】
前記ストリームは原油であり、前記微量元素は塩素であることを特徴とする請求項１ないし６のいずれかに記載の方法。
【請求項８】
前記精製所における前記点は、水添精製装置、改質器、および／または流出液排出を含むことを特徴とする請求項１ないし７のいずれかに記載の方法。
【請求項９】
前記精製所における前記点は、蒸留ユニット、ＡＤＵ、ＶＤＵ、原材料凝縮器、熱交換器、ストリッパ、および／または水添分解装置を含むことを特徴とする請求項１ないし８のいずれかに記載の方法。
【請求項１０】
前記精製所における前記点は、添加剤追加点および／または流出液排出点を含むことを特徴とする請求項１ないし９のいずれかに記載の方法。
【請求項１１】
精製所のための原油または重油のストリーム内の微量元素をオンライン測定するためのシステムであって、
ａ．前記ストリームが通って流れる前記精製所のためのある点に、前記ストリームへの／前記ストリームからのエネルギーを集束するために選択的に集束されたＸ線波長を有する少なくとも１つの蛍光Ｘ線（ＸＲＦ）分析器を具え、前記精製所における前記点は、脱塩処理を最適化するように前記ストリーム内に含まれる塩素を監視するための脱塩前装置および／または脱塩後装置を含み、
ｂ．前記ＸＲＦ分析器によって、前記微量元素について前記ストリームが分析され、
ｃ．業務を改善するために前記ＸＲＦ分析器からの結果が精製所又は他のオペレータに提供されることを特徴とするシステム。
【請求項１２】
前記ＸＲＦ分析器は、単色光学系対応ＸＲＦ分析器を含むことを特徴とする請求項１１記載のシステム。
【請求項１３】
前記ＸＲＦ分析器は、少なくとも１つの集束用の単色化Ｘ線光学系を有するＸ線エンジンを使用して前記ストリームへの／前記ストリームからのエネルギーを集束することを特徴とする請求項１２記載のシステム。
【請求項１４】
前記ＸＲＦ分析器は、前記Ｘ線エンジンを前記ストリームから分離する窓を具えたことを特徴とする請求項１３記載のシステム。
【請求項１５】
前記ＸＲＦ分析器は、ＭＷＤＸＲＦ分析器またはＭＥ−ＥＤＸＲＦ分析器であることを特徴とする請求項１１ないし１４のいずれかに記載のシステム。
【請求項１６】
前記微量元素は、以下のリスト、すなわちＳ、Ｃｌ、Ｐ、Ｋ、Ｃａ、Ｖ、Ｍｎ、Ｆｅ、Ｃｏ、Ｎｉ、Ｃｕ、Ｚｎ、Ｈｇ、Ａｓ、Ｐｂ、およびＳｅから選択される少なくとも１つの元素であることを特徴とする請求項１１ないし１５のいずれかに記載のシステム。
【請求項１７】
前記ストリームは原油であり、前記微量元素は塩素であることを特徴とする請求項１１ないし１６のいずれかに記載のシステム。
【請求項１８】
前記精製所における前記点は、水添精製装置、改質器、および／または流出液排出を含むことを特徴とする請求項１１ないし１７のいずれかに記載のシステム。
【請求項１９】
前記精製所における前記点は、蒸留ユニット、ＡＤＵ、ＶＤＵ、原材料凝縮器、熱交換器、ストリッパ、および／または水添分解装置を含むことを特徴とする請求項１１ないし１８のいずれかに記載のシステム。
【請求項２０】
前記精製所における前記点は、添加剤追加点および／または流出液排出点を含むことを特徴とする請求項１１ないし１９のいずれかに記載のシステム。
【発明の詳細な説明】
【技術分野】
【０００１】
関連出願の相互参照
本願は、２０１１年６月２０日に出願された米国特許仮出願第６１／４９８，８８９号の利益を主張し、その全体を参照により本明細書に組み込む。
【０００２】
本発明は、一般に、精製応用例のための原油および他の重油における汚染物質監視用のリアルタイムのオンライン試料流および分析システムに関する。
【背景技術】
【０００３】
硫黄、塩素、バナジウムなど燃料汚染物質は、原油および重油に対して大きな規制上および精製所プロセスの負担をもたらし、現在、これらの汚染物質を測定するための適切なオンライン分析器はない。この開示は、精製応用例のための原油および他の重油における汚染物質監視用のリアルタイムのオンライン試料流および分析システムに関する。これらの汚染物質をリアルタイムで測定することにより、燃料精製所は、全体的な使用可能時間の延長、プロセス効率の増大、および安全性の改善から利益を得ることになる。
【０００４】
原料油内のほんのわずかなレベルの汚染物質の存在は、石油精製において大きくなりつつある問題である。硫黄は原油ストリーム内の一般的な成分である−最終生成物からのその除去は、環境に対するその影響により義務づけられており、大気汚染防止法の元で米国環境保護庁によって規制されている。硫黄は環境に有害であり、その除去のコストは高い。したがって、硫黄レベルを精製プロセス内で早期に監視することが重要である。
【０００５】
塩素およびバナジウム汚染物質は、主に非規制上、プロセス管理上の理由で精製業界によって「厄介者」と見なされている。原油品質グループ（Ｃｒｕｄｅ  Ｏｉｌ  Ｑｕａｌｉｔｙ  Ｇｒｏｕｐ）によって提出された２００４年の業界白書には、これらの汚染物質が、業界にとって最も懸念される８つの汚染物質のグループ内に含まれていた。
【０００６】
塩化物は、最も大きな問題の１つを精製業界にもたらす。防蝕技術協会（Ｎａｔｉｏｎａｌ  Ａｓｓｏｃｉａｔｉｏｎ  ｏｆ  Ｃｏｒｒｏｓｉｏｎ  Ｅｎｇｉｎｅｅｒｓ：ＮＡＣＥ）による２００５年の論文によれば、「最近、ますます多くの精製所が、原油蒸留ユニットオーバーヘッドおよび／またはナフサ水素処理ユニット内の極度の腐食およびファウリングを経験している。根本的な原因が追跡され、塩化物レベルにおける激しいスパイクが突き止められた。
【０００７】
原油内の大部分の塩化物塩は無機（ナトリウム、マグネシウム、または塩化カルシウム）であり、脱塩装置によって効果的に除去することができる。抽出不能の塩化物は、脱塩装置内で除去されず、下流の加熱および処理により分解し塩酸を形成する可能性があり、腐食およびファウリング問題を引き起こす。２００５年ＮＡＣＥ論文は、生産設備に対する２０件を超える塩化物損害について引証した。また、塩化物は、様々な精製所のある種の閉じ込められた領域内に集まり、したがって投入レベルが低い場合でさえ、それらの腐食性作用を増すことも報告されている。また、ＮＡＣＥレポートは、精製業者がこの問題を監視しなければならない程度について述べている。すなわち、「［最大］５ｐｐｍを要求する企業もあれば、一方、０ｐｐｍの有機塩化物を要求する企業もある。一般に、大部分の企業は、１ないし３ｐｐｍを要求する。腐食の点から見ると、３ｐｐｍの上限は高すぎる−より現実的な限界は、１ｐｐｍである。．．．他の企業は、有機塩化物を含有する原油一切をいかなる量でもきっぱりと拒絶する。」（非特許文献１参照）
【０００８】
塩化物は問題であるため、精製業者は、実際、未知の塩化物レベルの危険性のためにある種の原料油の使用を除外する。また、世界のより望ましい原油源が掘り尽くされるにつれて、あまり純粋でない原油がより一般的になりつつある。これらの原油源は、より多くの塩、またはより高い硫黄含量を有する可能性が高く、これは監視を必要とすることになる。
【０００９】
塩化物は自然に導入されるだけでなく、プロセス源からも生じる。これらのプロセス源は、石油増進回収（ｅｎｈａｎｃｅｄ  ｏｉｌ  ｒｅｃｏｖｅｒｙ）プロセスで使用される化学物質、原油生産、輸送、および貯蔵で使用される塩素化溶媒、生産、輸送、および貯蔵で使用される塩素化添加剤（可能なものは、ワックス結晶改質剤、殺生物剤、腐食抑制剤、凝集添加剤、および解乳化剤を含む）、ならびに／または、販売および廃棄物の処分を（不法に）促進する方法として公開市場で購入するために原油副産物（スロップ）もしくは他の材料を新しい原油と混合することを含む。
【００１０】
これらの塩化物汚染源の大部分は精製所の管理外であるが、これらすべてが、投入段階、処理段階、および産出段階で精製所プロセスに対する密接な関係を有する。
【００１１】
別の課題では、元素バナジウムがクラッキング触媒を不活性にする。また、バナジウムを含有する生成物が燃焼されたとき、タービンブレードの腐食が発生する。原油品質グループによれば、バナジウムのレベルが原油内で高すぎるとき、規格外コークスが生成される。
【先行技術文献】
【特許文献】
【００１２】
【特許文献１】米国特許第６９３４３５９号
【特許文献２】米国特許第７０７２４３９号
【特許文献３】国際公開第２００９１１１４５４（Ａ１）号パンフレット
【特許文献４】米国特許第６２８５５０６号
【特許文献５】米国特許第６３１７４８３号
【特許文献６】米国特許第７０３５３７４号
【特許文献７】米国特許第７７３８６２９号
【特許文献８】米国特許第５１９２８６９号
【特許文献９】米国特許第５１７５７５５号
【特許文献１０】米国特許第５４９７００８号
【特許文献１１】米国特許第５７４５５４７号
【特許文献１２】米国特許第５５７０４０８号
【特許文献１３】米国特許第５６０４３５３号
【特許文献１４】米国特許第７１１０５０６号
【特許文献１５】米国特許第７２０９５４５号
【特許文献１６】米国特許第７２５７１９３号
【特許文献１７】米国特許第７２７７５２７号
【特許文献１８】米国特許第８０５０３８２号
【特許文献１９】ＰＣＴ／ＵＳ１１／２４００４および米国特許出願第１３／０２３，１１１号
【特許文献２０】米国特許出願第６１／５２３，６０５号
【非特許文献】
【００１３】
【非特許文献１】ＮＡＣＥ  Ｉｎｔｅｒｎａｔｉｏｎａｌ  Ｐｕｂｌｉｃａｔｉｏｎ  ３４１０５
【発明の概要】
【発明が解決しようとする課題】
【００１４】
技術的課題−原油およびより重質な燃料のオンライン測定のための試料取扱い：
上流の原油流、またはこの業界における他の重油内の低レベル汚染物質に対する提案されているどのオンライン測定技法も、ある種の技術的課題に直面しなければならない。
【００１５】
一般的な微量成分分析法は、滴定など化学技法、イオンクロマトグラフィおよびガスクロマトグラフィ、マイクロクーロメトリ、ならびに火炎分光法（ｃｏｍｂｕｓｔｉｏｎ  ｓｐｅｃｔｒｏｓｃｏｐｙ）を含む。これらの方法には制限がある。第１の制限は、必要な定量下限（ＬＯＱ）である。石油業界におけるプロセス管理は、塩素について０．５ｐｐｍ以下のＬＯＱを要求する。マイクロクーロメトリを除いて、これらの方法のどれも１ｐｐｍ未満のＬＯＱを提供しないが、マイクロクーロメトリは頻繁な較正および面倒な保守を必要とし、使用するのが難しい方法である。もう１つの制限は、これらの技法の大部分が研究室ベースの方法であり、複雑な試料の準備および取扱い要件のために、オンライン測定に適用することができないことである。最後に、これらの方法のいくつかは、試料内の塩化物すべてを必ずしも測定しない（たとえば、ガスクロマトグラフィ）。
【００１６】
別の大きな課題は、これらの重質な上流の流れの大部分が分析的な意味で「汚い」ものであり、分析器を滑らかに流れようとしない粘度を有することである。これらの汚染物質をオンラインで正確に測定するために、ある範囲の粘度にわたって一貫した試料流が必要である。
【課題を解決するための手段】
【００１７】
一態様では、関連の方法およびシステムを含めて、精製所のための原油または重油ストリーム内の微量元素をオンライン測定するための技法である本発明によって、従来技術の欠点が克服され、追加の利点がもたらされ、この技法は、一実施形態では、ストリームが通って流れる、精製所のためのある点に少なくとも１つの蛍光Ｘ線（ＸＲＦ）分析器を設けるステップと、分析器を使用して、塩素について石油ストリームを分析するステップと、精製所業務を改善するために分析器からの結果を精製所または他のオペレータに提供するステップとを含む。
【００１８】
この分析器は、単色光学系対応ＸＲＦ分析器を含み、この分析器は、少なくとも１つの集束用の単色化Ｘ線光学系を有するＸ線エンジンを使用してストリームへの／ストリームからのエネルギーを集束する。この分析器は、ＭＷＤＸＲＦ分析器またはＭＥ−ＥＤＸＲＦ分析器である。
【００１９】
微量元素は、Ｓ、Ｃｌ、Ｐ、Ｋ、Ｃａ、Ｖ、Ｍｎ、Ｆｅ、Ｃｏ、Ｎｉ、Ｃｕ、Ｚｎ、Ｈｇ、Ａｓ、Ｐｂ、およびＳｅ元素の１または複数であり、一実施形態では、ストリームは原油であり、微量元素は塩素である。
【００２０】
精製所における点は、脱塩前装置、脱塩後装置、水添精製装置（ｈｙｄｒｏｒｅｆｉｎｅｒ）、および／または改質器を含んでも、蒸留ユニット、ＡＤＵ、ＶＤＵ、原材料凝縮器（ｆｅｅｄ  ｃｏｎｄｅｎｓｅｒ）、熱交換器、ストリッパ、および／または水添分解装置を含んでも、精製所前の原料油エリア、または他の原油を消費する業務、たとえばタービンを含んでもよい。
【００２１】
さらに、本発明の技法を通じて、追加の特徴および利点が実現される。本発明の他の実施形態および態様が、本明細書に詳細に記載されており、特許請求されている発明の一部と見なされる。
【図面の簡単な説明】
【００２２】
本発明に関する主題は、本明細書の末尾で特許請求の範囲において特に指摘され、明瞭に特許請求されている。本発明の前述および他の目的、特徴、利点は、添付の図面に関連して取り上げられる以下の詳細な説明から明らかである。
【図１ａ】Ｘ線光学系対応ＭＥ−ＥＤＸＲＦ分析器を概略的な形態で示す図である。
【図１ｂ】Ｘ線光学系対応ＭＷＤＸＲＦ分析器を概略的な形態で示す図である。
【図２】Ｘ線分析器用の改良された試料ストリーム取扱い装置を概略的な形態で示す図である。
【図３】本発明の１または複数の態様による、石油精製所およびオンラインＸ線分析器の位置を概略的な形態で示す図である。
【図４】本発明の１または複数の態様による、石油脱塩装置およびオンラインＸ線分析器の位置を概略的な形態で示す図である。
【図５】本発明の１または複数の態様による、オンライン分析結果の精製所管理による使用を概略的な形態で示す図である。
【発明を実施するための形態】
【００２３】
２つの商用技術が、重質な試料のオンライン汚染物質測定に有用である。一方はＵＶ蛍光（ＵＶＦ）技術であり、他方は蛍光Ｘ線（ＸＲＦ）である。ＵＶＦ法はオペレータと保守の手間がかかるものであり、高温の炉およびガスユーティリティを必要とする。ＭＷＤＸＲＦオンライン分析器（たとえば、ＳＩＮＤＩＥ／ＣＬＯＲＡ−下記でさらに論じる）は、清浄な低粘度燃料（ディーゼル／ガソリン）について概してロバストであるが、原油の監視および原料油のパイプラインブレンディングなど上流応用例では課題を有する−その理由は、主にＸＲＦ分析器内のＸ線窓がこれらの「汚い」流れによって汚染され得るからである。
【００２４】
単色波長分散型蛍光Ｘ線（ＭＷＤＸＲＦ）、および単色励起エネルギー分散型蛍光Ｘ線分析器（ＭＥ−ＥＤＸＲＦ）：
本発明の譲受人は、図１ａにおいてシステム１０として概略的に示されている、２つの単色化光学系を使用する単色波長分散型蛍光Ｘ線（ＭＷＤＸＲＦ）オンライン蒸留物分析器（特許文献１および特許文献２−それらの全体を参照により本明細書に組み込む）を以前に開示した。ディーゼル燃料および他の燃料蒸留物内の硫黄を測定するための関連のＳＩＮＤＩＥ（Ｓｕｌｆｕｒ  ＩＮ  ＤＩＥｓｅｌ（ディーゼル内の硫黄））生成物ラインは、以下を含めて、多数の利点をもたらす。すなわち、（１）信号／背景（Ｓ／Ｂ）がＤＣＣ１による試料の単色励起により改善される。すなわち、蛍光ピーク未満のエネルギーを有する制動放射光子（通常、これらの注目のピークを沈み込ませる）が、散乱を通じて検出器に到達することしかできず、したがって、多色励起に比べてＳ／Ｂ比を劇的に改善する。（２）優れたエネルギー分解能−これは、一般的な干渉問題すべてを解消し、上流応用例のための物理的な基礎をもたらす。（３）固有のロバスト性および低い保守性−分析エンジンは、低電力、コンパクトであり、移動部分または消耗するガスがない。（４）前例のないダイナミックレンジ、たとえば、試料内の硫黄の０．３ｐｐｍないし５％の定量レベル。
【００２５】
ＭＷＤＸＲＦ内の２重湾曲石英（ＤＣＣ）光学系１４、１６が、強いミクロンサイズの単色Ｘ線ビームを管１２から試料１８、検出器２０に向けて送り、従来の波長分散型ＸＲＦを向上させる。これらの３Ｄ形状の光学系は、ブラッグ回折の法則に従って、試料励起のために非常に狭い帯域のＸ線波長を選択的に集束する。
【００２６】
１つの卓上の実装が、石油パイプラインターミナル、精製所、および試験研究室における０．１５ないし１０，０００ｐｐｍ（重量）の硫黄燃料試料のバッチ試験用に特に設計されている。１つのオンライン実装は、測定速度と信頼性と最小限の保守性が本質的な要件である場合、燃料インターフェース切断（ｆｕｅｌ  ｉｎｔｅｒｆａｃｅ  ｃｕｔｓ）を監視するための、たとえばパイプラインターミナルにおけるディーゼル、ガソリン、および他の清浄な蒸留物内の連続的な硫黄監視用、およびタンク汚染防止用に設計された産業グレードプロセス硫黄分析器である。たとえば硫黄の濃度は、応用例に応じて、１０ないし３０秒ごとに絶えず更新することができる。
【００２７】
同様のＭＷＤＸＲＦ卓上分析器は、消耗するガスまたは高温プロセスの難点なしに０．５ｐｐｍレベル未満の塩素濃度をユーザが定量化することを可能にする。ＳＩＮＤＩＥ分析器と同じＭＷＤＸＲＦ技法を使用して、このＣＬＯＲＡ卓上分析器の実装は、０．１５ｐｐｍの塩素検出の限界、および最大４％のダイナミックレンジを提供する。
【００２８】
本発明によれば、オンラインの単色励起エネルギー分散型蛍光Ｘ線（ＭＥ−ＥＤＸＲＦ）分析器もまた、この応用例に使用することができる。このエンジン技術は、たとえば「ＸＲＦ  Ｓｙｓｔｅｍ  Ｈａｖｉｎｇ  Ｍｕｌｔｉｐｌｅ  Ｅｘｃｉｔａｔｉｏｎ  Ｅｎｅｒｇｙ  Ｂａｎｄｓ  Ｉｎ  Ｈｉｇｈｌｙ  Ａｌｉｇｎｅｄ  Ｐａｃｋａｇｅ」という名称の本願譲受人に譲渡されたＰＣＴ公開（特許文献３参照）に開示されており、その全体を参照により本明細書に組み込む。一実施形態では、この技法は、図１ｂに概略的に示されているＨＤＸＲＦシステム３０として知られる単色励起を必要とする。ＨＤ  ＸＲＦは、従来のＥＤまたはＷＤ  ＸＲＦよりも著しく向上した検出性能を提供する多要素分析技法である。この技法は、最新技術の単色化および集束用の光学系３４を応用し、光学系３４は、管３２から試料３８にＸ線を集束し、試料内の広範な標的要素を効率的に励起する多選択エネルギー励起ビーム（ｍｕｌｔｉｐｌｅ  ｓｅｌｅｃｔ−ｅｎｅｒｇｙ  ｅｘｃｉｔａｔｉｏｎ  ｂｅａｍｓ）を可能にし、これらの標的要素は、たとえば１または複数の要素の存在を同時に検出することができるエネルギー分散型検出器４０によって検出することができる。単色励起は、蛍光ピーク下の散乱する背景を劇的に低減し、要素検出の限界および精度を大きく向上させる。ＨＤＸＲＦは直接測定技法であり、消耗物または特別な試料準備を必要としない。
【００２９】
これらのどのシステムにおけるＸ線光学系も、たとえば本願譲受人に譲渡された特許文献４、特許文献５、特許文献６、特許文献７に開示されているものなど湾曲石英単色化光学系、および／または多層光学系、および／または本願譲受人に譲渡された特許文献８、特許文献９、特許文献１０、特許文献１１、特許文献１２、特許文献１３に開示されているものなどポリキャピラリ光学系を含む。本願譲受人に譲渡された特許文献１４、特許文献１５、特許文献１６に開示されているものなど光学系／光源の組合せもまた使用可能である。単色化効果をもたらす偏光光学装置もまた使用することができる。上記の特許のそれぞれは、その全体を参照により本明細書に組み込む。
【００３０】
試料セルおよび流れ制御の改善：
原油および重油応用例のためのオンライン分析器では、フローセル内の圧力、温度、および他の流れ特性を動的に制御し、変化する試料条件下で適正な試料流を維持すべきである。様々な試料ストリーム粘度により、安定した圧力で試料を分析器に与えることが困難になる。塩素測定は、塩素が大抵、水相で存在し、これは原油に均質に混合しないので、別の課題をもたらす。
【００３１】
これらの課題に対処するための試料セルに対する改善が、本明細書に開示されている。試料セルは、Ｘ線がセルを出入りすることを可能にするために、主要な薄い（たとえば、Ｋａｐｔｏｎ）Ｘ線窓を有する。この窓は、背景および汚染を最小限に抑えるように、流れストリームから制御され、また一実施形態では分離される。目標は、位置合わせ精度２０ミクロンで試料をＸＲＦエンジンに均質に−試料の入来する特性とは独立して、与えることである。
【００３２】
温度、圧力、流量などのための適正なセンサ、およびこれらのセンサのための適正な位置が決定されている。自己パージ機械的混合、空気除去、および圧力調整器または流量調整器を有する冗長フィルタなど、いくつかの構成要素が適正な位置に配置され、システム全体に対するそれらの効果を最適化する。システムのダイナミックスを、試料タイプの事前知識なしにリアルタイムで取り扱うために、制御アルゴリズムが実装される。この改良されたシステムは、２つの同時かつ重要な特徴、すなわち（１）均質で予測可能な試料ストリームと、（２）適正に位置決めされたＸ線焦点エリアとを提供する。これらは共に、異なる試料ストリーム、たとえば異なるグレードの原油を準備および制御することを可能にする。
【００３３】
細心の注意を必要とする重油測定システムの１つの構成要素は、Ｘ線が重質な試料を励起することを可能にし、一方同時に、Ｘ線エンジン内の真空および連続的に移動する試料の流れ圧力を維持する試料バリアである。Ｘ線刺激は、時間の経過につれてこの界面で、またあるタイプのバリア材料上で、たとえば硫黄のイオン化および吸着を生じ−望ましくない硫黄残渣、およびバリアのＸ線透過性の劣化に通じる。「Ｍｏｖａｂｌｅ  Ｔｒａｎｓｐａｒｅｎｔ  Ｂａｒｒｉｅｒ  Ｆｏｒ  Ｘ−Ｒａｙ  Ａｎａｌｙｓｉｓ  Ｏｆ  Ａ  Ｐｒｅｓｓｕｒｉｚｅｄ  Ｓａｍｐｌｅ」という名称の特許文献１７（その全体を参照により本明細書に組み込む）に開示されているＸＯＳの動的窓モジュール（ＤＷＭ）は、石油試料ストリームを流す際に固有のこの特定の問題に対処する。ＤＷＭは、窓ロールの一部分を掃除するようにプログラム可能な間隔で前進する可動バリアの形態で、非常に重要な、好結果の解決策を提供する。この問題に対処することに向かう他の進歩は、先進の流れ制御機構を含む（たとえば、ＰＣＴ／ＵＳ０９／３４９８２および米国特許出願第１２／３９１，６７７号として出願され、現在発行されている特許文献１８「Ｓａｍｐｌｅ  Ｍｏｄｕｌｅ  Ｗｉｔｈ  Ｓａｍｐｌｅ  Ｓｔｒｅａｍ  Ｓｐａｃｅｄ  Ｆｒｏｍ  Ｗｉｎｄｏｗ，Ｆｏｒ  Ｘ−Ｒａｙ  Ａｎａｌｙｓｉｓ  Ｓｙｓｔｅｍ」、特許文献１９として出願された「Ｓａｍｐｌｅ  Ｍｏｄｕｌｅ  ｗｉｔｈ  Ｓａｍｐｌｅ  Ｓｔｒｅａｍ  Ｓｕｐｐｏｒｔｅｄ  ａｎｄ  Ｓｐａｃｅｄ  ｆｒｏｍ  Ｗｉｎｄｏｗ，ｆｏｒ  Ｘ−Ｒａｙ  Ａｎａｌｙｓｉｓ  Ｓｙｓｔｅｍ」、および、特許文献２０として出願された「Ｓａｍｐｌｅ  Ｖｉｓｃｏｓｉｔｙ  ａｎｄ  Ｆｌｏｗ  Ｃｏｎｔｒｏｌ  ｆｏｒ  Ｈｅａｖｙ  Ｓａｍｐｌｅｓ，ａｎｄ  Ｘ−Ｒａｙ  Ａｎａｌｙｓｉｓ  Ａｐｐｌｉｃａｔｉｏｎｓ  Ｔｈｅｒｅｏｆ」、これらの特許／特許出願のそれぞれは、その全体を参照により本明細書に組み込む）。図２に概略的に示されている１つのそのような実施形態５０では、試料ストリームは、試料チャンバ５６内で層流５８として浮動し、Ｘ線窓５２と接触しない。試料ストリーム表面は、直接、Ｘ線ビームの焦点５４内にあり、窓は焦点外である。
【００３４】
改良されたオンライン分析器（それだけには限らないがＭＥ−ＥＤＸＲＦおよびＭＷＤＸＲＦを含む）に関する仕様は、それだけには限らないが以下を含む。すなわち、
測定される元素：Ｓ、Ｃｌ、Ｐ、Ｋ、Ｃａ、Ｖ、Ｍｎ、Ｆｅ、Ｃｏ、Ｎｉ、Ｃｕ、Ｚｎ、Ｈｇ、Ａｓ、Ｐｂ、および／またはＳｅ
試料Ｔ＞曇り点、最大２５０°Ｆ
粘度２０ｃＳｔ以上
濾過：１００μｍ
ＬＯＤ：０．３ｐｐｍ＠３００ｓ−水性マトリクス
ＬＯＤ：０．２ｐｐｍ＠３００ｓ−炭化水素マトリクス
分析時間：１０ないし９００ｓ−ユーザ調整可能
レンジ：０．２ｐｐｍ／ｗｔないし３，０００ｐｐｍ／ｗｔ
【００３５】
開示されているオンライン分析器の重要な利益の１つは、それが有機塩化物と無機塩化物を共に測定することができることである。また、必要とされる蒸留ステップのために、有機塩化物を測定するための既存のＡＳＴＭ法の制限の１つは、それが４００°Ｆより高い蒸留温度で塩素化材料を識別することができないことである。開示されているオンライン分析器は、この制限を共有しないことになり、したがって、より重い分子量の有機塩化物を蒸留物および／または原油内で直接測定するために使用することができる。
【００３６】
精製所応用例−たとえば、塩素：
本発明によれば、本明細書に開示されている改良されたオンライン分析器は、特に、たとえば上記で論じた塩素（Ｃｌ）問題のために、広範な石油精製応用例で診断ツールとして使用することができる。生産ライン全体にわたって、Ｃｌレベルは、生原油、一部処理された原油、原油処理材料（水、精製化学物質）、蒸留済み生成物、および仕上げ済み生成物を含めて、広範な試料における監視を必要とする。本発明は、これらのプロセス点でのオンライン監視を実現する。この役割では、分析器は、本質的に無機Ｃｌ（塩）および／または有機Ｃｌ検出器である。精製プロセス中には、Ｃｌ塩が塩酸（ＨＣｌ）に変わり、石油精製機器を徐々に侵食する。標準的な脱塩プロセスが使用されているが、脱塩後生成物は、依然として機器を損傷し得る「ファントム塩（ｐｈａｎｔｏｍ  ｓａｌｔｓ）」を含有する可能性がある。したがって、プロセスライン全体にわたってＣｌについて試験することが求められている。
【００３７】
図３は、典型的な油精製所６０のプロセス流れ図であり、どこで塩化物汚染が問題であるか、および、本発明に従ってどこで開示されているオンライン分析器を配備し、それらの点でプロセスの流れを測定するかを示す円「Ａ」を示す。左に沿ったより細い円は、さらに精製するために原油がその成分部分に分解される主要蒸留プロセスへの原油の投入を表す。細い円の指定もまた、下記で詳細に論じる、水溶性塩化物が原油から浸出される初期脱塩操作を包含することに留意されたい。塩化物の主要なオンライン検出が行われるのは、これらのエリアである。より太い円は、脱塩可能でない塩化物（ＮＤＣ）の存在、および／またはＣｌ含有触媒／溶媒の導入により腐食しやすい精製所業務のエリアを表し、したがって、これらのエリアもまた、分析器一体化の機会を提供する。最後に、破線の円は、精製所仕様または最終使用者仕様に基づいてＣｌについて試験を受ける必要がある仕上げ済み生成物を表す。
【００３８】
本発明によるオンライン監視のために、少なくとも１９の潜在的な注目の点「Ａ」があり、およそ以下のように分解される。すなわち、
１．脱塩された投入原油内のＮＤＣ
２．常圧蒸留オーバーヘッド内
３．真空ユニットオーバーヘッド内
４．ナフサ水素処理装置供給／交換内
５．水素処理装置ストリッパオーバーヘッド内
６．触媒改質器内
７．水添分解装置オーバーヘッド内
８．出荷用最終生成物内
（これらの点はまた、限定しないが、脱塩前／後装置ユニット、蒸留ユニット、ＡＤＵ、ＶＤＵ、原材料凝縮器、熱交換器、ストリッパ、水添分解装置を含んでも、精製所前の原料油エリア、または他の原油を消費する業務、たとえばタービンを含んでもよい。）
【００３９】
上記の応用例のそれぞれが、試験試料、固有の問題、および腐食性の損害のコストに関して、また必要とされる監視要件において、異なる課題およびニーズを有する。ナフサ水素処理装置内のＮＤＣ監視の必要に特別な関心を向けている精製業者もあるが、脱塩原油の投入監視が最も重要な対処すべきエリアであると示唆する業者もある。
【００４０】
生原油および脱塩原油：
生原油および脱塩原油の両方で塩化物レベルを定量化するために分析器を使用することは、図４（この場合も「Ａ」を使用し、本発明によるオンライン分析器の使用の点を示す）に示されている例示的な脱塩装置７０に関して概略的に示されているように、精製業界内で重要な注目の応用例である。本発明によれば、脱塩原油内の塩化物含量を連続的に監視することができることを使用し、脱塩装置の動作および原油ユニットオーバーヘッド腐食制御プログラムを最適化することができる。
【００４１】
現在、原油脱塩前装置内、およびＡＤＵに入る前に見られる低いｐｐｍレベルで塩化物を測定することができるオンライン分析器はない。リアルタイムの塩化物の結果を見ることができることにより、オペレータは、塩化物スパイクの場合に知らされることになり、原油供給をタンケージに逸らす、または損傷を緩和するための他のステップをとることができる。関係する明らかな人的要因の他に、これらの緊急の状況は、深刻な環境問題の可能性を含む。ヒータ管故障の結果により、原油および他の炭化水素が、地面、空気、水に解放される可能性がある。提案されているオンライン塩素測定が特に有益となる可能性がある場合の一例は、脱塩装置の動作を制御および監視するために、脱塩前装置ストリームと脱塩後装置ストリームとの間で自動的に往復切り替えすデュアルフィード塩素分析器手法のアプローチにある。これらの利益は、少ないエネルギー使用、高い作業者の安全、および予定外シャットダウンおよび収益の損失の減少をもたらし、一方、添加剤の使用を低減する脱塩装置の最適化を含む。
【００４２】
さらに、現代の脱塩装置の動作は、大量のエネルギーを必要とする。基本動作は、いくつかのプレートまたはトレー上を通る高電圧電流からなる。これらのトレーの上およびそれらを通じて、原油は、燃料ガスおよび／または蒸気によって加熱され、水と添加剤の混合物を介して流れる。水、電圧、および添加剤を原油と組み合わせることによって、原油から「抽出可能な」塩化物または塩のいずれかが洗い流される。次いで、水中の塩は、さらに処理し排出するために廃水プラントに渡され、原油はＡＤＵに汲み上げられ、オーバーヘッドガスは、さらに処理するために収集される。除去プロセス中に塩化物を測定し、しっかりと制御することによって、必要とされるユーティリティを最小限に抑え、現在の業界標準である過剰処理セーフティネットをなくするように、電気、温度、添加剤、および水を制御することができる。
【００４３】
有機塩化物を測定することの付加的な利益と共に、この分析器は、業界内で継続中の関心事、すなわち、時々、有機塩化物が原油内に存在すること、および、これらの有機塩化物が、原油塔蒸留ユニット内で塩酸に加水分解することの１つに対処する。このメカニズムはかなりの議論の対象であるが、原油内の有機塩化物を検出することが可能な計器の使用は、この問題を解決する助けとなる可能性が高いであろう。
【００４４】
脱塩装置洗浄水および流出液：
また、脱塩装置に関連して図４に示されているように、脱塩装置投入洗浄水および流出水内でのオンライン分析器の使用もまた、一部の精製業者にとって注目すべきものである可能性がある。結果を使用し、原油からの塩の除去を推定する／マスバランスをとることができる。また、一部の精製業者は、脱塩装置洗浄水の塩化物含量の変動を理解することに関心があり、そのわけは、後者が通常、精製所内で集められる複数の水源で構成されるからである。
【００４５】
ナフサおよび蒸留物ハイドロファイナ：
ハイドロファイニングの主要な目的は、ストリーム内の硫黄および大部分の窒素ベースの成分を除去することである。処理中には、金属および他の汚染物質もまた除去されることになる。蒸留物およびガス油ストリームの場合、目標は、ディーゼル燃料および／または下流アップグレーディングユニット内で使用されるブレンド原料油の硫黄含量を低減することである。重質ナフサの場合には、水素処理の主要な目的は、改質器に送る前に供給物を洗浄することである。
【００４６】
精製所内の有機塩化物の重要な懸念は、それがハイドロファイナ内でＨＣｌに変換されることである。通常、これらのユニットは非常に少ない水で動作するので、生成されたＨＣｌをいずれも、ハイドロファイナ流出液内に存在する非常に小さい水体積内に蓄積させる傾向がある。最終的な結果は、ｐＨの深刻な低下、およびメタラジ（ｍｅｔａｌｌｕｒｇｉｅｓ）の激しい腐食である。そのため、原油内の有機塩化物のｐｐｍレベルは、潜在的に非常に問題になる可能性がある。
【００４７】
ＡＳＴＭ  Ｄ４９２９は、有機塩化物を測定するその能力において、４００°Ｆ未満の沸点を有する化合物に制限される。蒸留物またはガス油など、より重質のストリーム内の有機塩化物を定量化することはできない。一部の精製業者は、蒸留物またはガス油水素処理装置内の、有機塩化物によって誘発される腐食の証拠について報告している。蒸留物およびガス油供給物内の有機塩化物を測定することが可能な機器が使用可能であることは有益となろう。これらのストリームは、典型的な標的動作可能範囲よりわずかに高温であるが、試料色を使用し、適正な試験条件を提供することができる。
【００４８】
改質器ライトエンド：
触媒改質は、ガソリンブレンディングで使用されるリフォーメート（オクタンブースタ）を製造するために使用されるので、精製所にとって重大なものである。改質器は、低レベルの硫黄および他の微量汚染物質によって汚染されやすい白金／レニウムベースの触媒を使用する。触媒表面を酸性化し、性能を改善するために、わずかなハロゲン化炭化水素（有機塩化物）が改質器原料油（重質バージンナフサ）に追加される。時々、触媒を再生するために、より多くの量が必要とされる。改質器からの生成物は、芳香族抽出プラント、ガソリンブレンディング、およびライトエンド回収に進むことになる。
【００４９】
皮肉にも、改質器で使用されるハロゲン化炭化水素は、ハイドロファイナにとって問題であると考えられる有機塩化物と同じ化学的性質タイプのものである。このユニットはハイドロファイナの下流に位置するが、効率の理由で、生成される水素は、ハイドロファイナ供給に再循環されて戻される。したがって、再循環水素の有機塩化物含量が最小限に保たれ、ハイドロファイナ内の腐食問題を確実に最小限に抑えるために、特別な努力をしなければならない。他の問題は、余分な有機塩化物／ＨＣＬがリフォーメート内で脱出し、下流ユニット（スタビライザ塔）を侵蝕する可能性があることである。
【００５０】
有機塩化物の維持および／または再生レベルを改質器供給に加えることを取り巻く詳細は、非常に触媒／運転特有のものであり、しばしば厳重に守られた秘密である。したがって、塩化物関連の腐食問題が下流のライトエンド回収プラントで表面化するときはいつでも、ライトエンドプラントは精製所内の多数の異なる場所から供給を受けることができるにもかかわらず、改質器の責任にしがちである。改質器の生成物／ライトエンドプラント供給内にオンライン分析器を設置することは、改質器プラントの動作を監視し、他の塩化物の誘因を潜在的に識別する助けになる。
【００５１】
バナジウム：
最後に、バナジウムの作用は、識別された後で、添加剤または他の手段の使用により緩和することができるが、バナジウムレベルは、迅速に識別される必要がある。バナジウム汚染は、触媒を急速に不活性にさせ、同じレベルのクラッキングまたは変換に到達するために、より多くの熱およびエネルギーを使用し、プロセスをより激しく熱することが必要になる。これらの事象は、精製所内のエネルギーの実質的な無駄をも引き起こす。コーキングに伴う問題は、塩化物制御および測定に関連して蒸気で論じた問題と同様に、予定外シャットダウンを引き起こす可能性がある。本発明によるバナジウムのオンライン測定は、これらの作用を緩和することができる。
【００５２】
精製所の業務：
最終的に、図５の流れ図に示されているように、精製所６０にわたって位置するオンライン分析器からの結果を精製所のローカルおよび遠隔管理６２によって使用し、その運転投入および結果を改善することができる。
【００５３】
上記で論じた本発明のオンライン分析器は、石油精製業界にとって独特の価値あるツールを提供する。精製所にわたって様々な汚染物質（たとえば、硫黄、塩素、バナジウムなど）のリアルタイム測定を実現することにより、精製所安全、効率、全体的な業務の効果を劇的に改善することができる。
【００５４】
当業者には理解されるように、本発明の１または複数の態様は、システム、方法、またはコンピュータプログラム製品として実施されてもよい。したがって、本発明の１または複数の態様は、完全にハードウェアの実施形態、完全にソフトウェアの実施形態（ファームウェア、常駐ソフトウェア、マイクロコードなどを含む）、またはソフトウェアとハードウェアの態様を組み合わせる実施形態の形態をとってもよく、これらは、すべて本明細書において「回路」「モジュール」または「システム」と呼ばれる。さらに、本発明の１または複数の態様は、コンピュータ可読プログラムコードが含まれる１または複数のコンピュータ可読媒体で実施されるコンピュータプログラム製品の形態をとってもよい。
【００５５】
１または複数のコンピュータ可読媒体の組合せを使用してもよい。コンピュータ可読媒体は、コンピュータ可読記憶媒体であってもよい。コンピュータ可読記憶媒体は、たとえば、それだけには限らないが電子、磁気、光、電磁、赤外線、もしくは半導体のシステム、装置、もしくはデバイス、または前述のものの任意の好適な組合せであってもよい。コンピュータ可読記憶媒体のより具体的な例（網羅的ではないリスト）は、１または複数のワイヤを有する電気接続、ポータブルコンピュータディスケット、ハードディスク、ランダムアクセスメモリ（ＲＡＭ）、読出し専用メモリ（ＲＯＭ）、消去可能なプログラマブル読出し専用メモリ（ＥＰＲＯＭまたはフラッシュメモリ）、光ファイバ、ポータブルコンパクトディスク読出し専用メモリ（ＣＤ−ＲＯＭ）、光記憶ディスク、磁気記憶デバイス、または前述のものの任意の好適な組合せを含む。本書の文脈では、コンピュータ可読記憶媒体は、命令実行システム、装置、またはデバイスによって、またはそれと共に使用するためのプログラムを含む、または記憶することができる任意の有形の媒体であってもよい。
【００５６】
一例では、コンピュータプログラム製品は、たとえば、コンピュータ可読プログラムコード手段または論理を記憶し、本発明の１または複数の態様を提供しそれらを容易にするための、１または複数の非一時的なコンピュータ可読記憶媒体を含む。
【００５７】
コンピュータ可読媒体上に含まれるプログラムコードは、それだけには限らないが無線、電線、光ファイバケーブル、ＲＦなど、または前述のものの任意の好適な組合せを含む適切な媒体を使用して伝送されてもよい。
【００５８】
本発明の１または複数の態様のための演算を実施するためのコンピュータプログラムコードは、Ｊａｖａ（登録商標）、Ｓｍａｌｌｔａｌｋ、Ｃ＋＋などオブジェクト指向プログラミング言語、およびＣプログラミング言語、アセンブラまたは同様のプログラミング言語など従来の手続き型プログラミング言語を含む、１または複数のプログラミング言語の任意の組合せで記述されてもよい。プログラムコードは、完全にユーザのコンピュータ上で、スタンドアロンのソフトウェアパッケージとして部分的にユーザのコンピュータ上で、部分的にユーザのコンピュータ上、部分的に遠隔コンピュータ上で、または完全に遠隔コンピュータもしくはサーバ上で実行されてもよい。後者のシナリオでは、遠隔コンピュータは、ローカルエリアネットワーク（ＬＡＮ）またはワイドエリアネットワーク（ＷＡＮ）を含む、任意のタイプのネットワークを通じてユーザのコンピュータに接続されても、（たとえば、インターネットサービスプロバイダを使用してインターネットを通じて）外部のコンピュータに接続されてもよい。
【００５９】
本発明の１または複数の態様は、本明細書では、本発明の実施形態による方法、装置（システム）、およびコンピュータプログラム製品の流れ図および／またはブロック図を参照して述べられている。流れ図および／またはブロック図の各ブロック、および流れ図および／またはブロック図のブロックの組合せは、コンピュータプログラム命令によって実装することができることを理解されたい。これらのコンピュータプログラム命令は、汎用コンピュータ、専用コンピュータ、または他のプログラム可能なデータ処理装置のプロセッサに送られ、コンピュータまたは他のプログラム可能なデータ処理装置のプロセッサを介して実行される命令が、流れ図および／またはブロック図の１または複数のブロックに指定された機能／行為を実施するための手段を作り出すような機械を生み出す。
【００６０】
また、これらのコンピュータプログラム命令は、コンピュータ可読媒体に記憶された命令が、流れ図および／またはブロック図の１または複数のブロックに指定された機能／行為を実施する命令を含む製品を生み出すような特定の手法で機能するように、コンピュータ、他のプログラム可能なデータ処理装置、または他のデバイスに指示することができるコンピュータ可読媒体に記憶される。
【００６１】
また、コンピュータプログラム命令は、コンピュータ、他のプログラム可能なデータ処理装置、または他のデバイスにロードされ、コンピュータ、他のプログラム可能なデータ処理装置、または他のデバイス上で一連の動作ステップを実施させ、コンピュータまたは他のプログラム可能なデータ処理装置上で実行される命令が、流れ図および／またはブロック図の１または複数のブロックに指定された機能／行為を実施するためのプロセスを提供するように、コンピュータによって実施されるプロセスを生成してもよい。
【００６２】
図内の流れ図およびブロック図は、本発明の１または複数の態様の様々な実施形態によるシステム、方法、およびコンピュータプログラム製品の可能な実装のアーキテクチャ、機能、および動作を示す。これに関しては、流れ図またはブロック図内の各ブロックは、指定された（１または複数の）論理機能を実施するための１または複数の実行可能命令を含むモジュール、セグメント、またはコードの一部分を表す。また、代替的実装によっては、ブロックに記載の機能は、図に示されている順番を外れて行われてもよいことに留意されたい。たとえば、連続して示されている２つのブロックは、実際には、実質的に同時に実行されてもよく、または、それらのブロックは、必要とされる機能に応じて、逆の順番で実行されることがあってもよい。また、ブロック図および／または流れ図の各ブロック、ならびにブロック図および／または流れ図のブロックの組合せは、指定された機能もしくは行為を実施する専用ハードウェアをベースとするシステム、または専用ハードウェアとコンピュータ命令との組合せによって実施することができることに留意されたい。
【００６３】
上記に加えて、本発明の１または複数の態様は、顧客環境の管理を提供するサービスプロバイダによって与えられ、提供され、展開され、管理され、サービスされる、などしてもよい。たとえば、サービスプロバイダは、１または複数の顧客のために本発明の１または複数の態様を実施するコンピュータコードおよび／またはコンピュータインフラストラクチャを作り出す、維持する、サポートする、などすることができる。見返りとして、サービスプロバイダは、たとえば加入および／または料金契約の元で顧客から支払いを受けてもよい。それに加えて、またはその代わりに、サービスプロバイダは、１または複数の第三者に対する広告コンテンツの販売から支払いを受けてもよい。
【００６４】
本発明の一態様では、本発明の１または複数の態様を実施するために、アプリケーションを展開してもよい。一例として、アプリケーションの展開は、本発明の１または複数の態様を実施するように動作可能なコンピュータインフラストラクチャを提供することを含む。
【００６５】
本発明の他の態様として、コンピュータインフラストラクチャは、コンピュータ可読コードをコンピューティングシステムに一体化することを含めて展開されてもよく、コンピューティングシステムと組み合わされたコードは、本発明の１または複数の態様を実施することが可能である。
【００６６】
本発明の他の態様として、コンピュータ可読コードをコンピューティングシステムに一体化することを含むコンピュータインフラストラクチャを一体化するためのプロセスが提供されてもよい。コンピュータシステムはコンピュータ可読媒体を含み、そのコンピュータ媒体は、本発明の１または複数の態様を含む。コンピュータシステムと組み合わされたコードは、本発明の１または複数の態様を実施することが可能である。
【００６７】
様々な実施形態について上記で述べられているが、これらは例にすぎない。さらに、他のタイプのコンピューティング環境が、本発明の１または複数の態様から利益を得ることができる。
【００６８】
他の例として、システムバスを通じてメモリ要素に直接または間接的に結合された少なくとも１つのプロセッサを含む、プログラムコードを記憶および／または実行するのに好適なデータ処理システムが使用可能である。メモリ要素は、たとえば、プログラムコードの実際の実行中に使用されるローカルメモリ、バルクストレージ、および実行中にバルクストレージからコードを取り出さなければならない回数を削減するために少なくとも一部のプログラムコードを一時的に記憶するキャッシュメモリを含む。
【００６９】
入力／出力またはＩ／Ｏデバイス（それだけには限らないがキーボード、ディスプレイ、ポインティングデバイス、ＤＡＳＤ、テープ、ＣＤ、ＤＶＤ、サムドライブ、および他のメモリ媒体などを含む）を、直接、または介在するＩ／Ｏコントローラを通じてシステムに結合することができる。また、データ処理システムを他のデータ処理システムまたは遠隔プリンタまたは記憶デバイスに、介在するプライベートネットワークまたは公衆ネットワークを介して結合することを可能にするように、ネットワークアダプタをシステムに結合してもよい。モデム、ケーブルモデム、イーサネット（登録商標）カードは、ネットワークアダプタのいくつかの使用可能なタイプにすぎない。
【００７０】
本明細書で使用されている用語は、特定の実施形態について述べるためのものにすぎず、本発明を限定するものではない。本明細書では、単数形「ａ」「ａｎ」および「ｔｈｅ」は、別段文脈によって明確に示されない限り、複数をも含むものとする。さらに、「ｃｏｍｐｒｉｓｅ（備える、含む）」（および「ｃｏｍｐｒｉｓｅｓ」「ｃｏｍｐｒｉｓｉｎｇ」などｃｏｍｐｒｉｓｅの任意の形態）、「ｈａｖｅ（有する）」（および「ｈａｓ」「ｈａｖｉｎｇ」などｈａｖｅの任意の形態）、「ｉｎｃｌｕｄｅ（含む）」（および「ｉｎｃｌｕｄｅｓ」「ｉｎｃｌｕｄｉｎｇ」などｉｎｃｌｕｄｅの任意の形態）、ならびに「ｃｏｎｔａｉｎ（含む）」（および「ｃｏｎｔａｉｎｓ」「ｃｏｎｔａｉｎｉｎｇ」などｃｏｎｔａｉｎの任意の形態）という用語は、オープンエンドの結合動詞（ｌｉｎｋｉｎｇ  ｖｅｒｂ）であることを理解されたい。その結果、１または複数のステップまたは要素を「ｃｏｍｐｒｉｓｅｓ（備える、含む）」「ｈａｓ（有する）」「ｉｎｃｌｕｄｅｓ（含む）」または「ｃｏｎｔａｉｎｓ（含む）」方法またはデバイスは、それらの１または複数のステップまたは要素を有するが、それらの１または複数のステップまたは要素だけを有することに限定されない。同様に、１または複数の特徴を「ｃｏｍｐｒｉｓｅｓ（備える、含む）」「ｈａｓ（有する）」「ｉｎｃｌｕｄｅｓ（含む）」または「ｃｏｎｔａｉｎｓ（含む）」方法のステップまたはデバイスの要素は、それらの１または複数の特徴を有するが、それらの１または複数の特徴だけを有することに限定されない。さらに、ある手法で構成されるデバイスまたは構造は、少なくともその手法で構成されるが、リストされていない手法で構成されてもよい。
【００７１】
好ましい実施形態について本明細書で詳細に示し述べたが、本発明の精神から逸脱することなしに様々な修正、追加、置換えなどを行うことができ、したがってそれらは以下の特許請求の範囲で定義される本発明の範囲内にあると見なされることが、当業者には明らかである。
【図１ａ】
0006023187.tif 000002
【図１ｂ】
0006023187.tif 000003
【図２】
0006023187.tif 000004
【図３】
0006023187.tif 000005
【図４】
0006023187.tif 000006
【図５】
0006023187.tif 000007